(57)【要約】【課題】意匠筐体と液晶表示パネルとを直接位置決めすることができるため、意匠筐体と液晶表示パネルとを精度良く位置決めすることができる。【解決手段】本発明に係る液晶表示装置は、液晶表示パネル１と、液晶表示パネル１を収納するとともに、収納した液晶表示パネル１の端部に隣接するスペース１３が設けられたフレーム３，７，１１と、フレーム３，７，１１を覆う意匠筐体１４とを備える。フレーム３，７，１１の表面には、スペース１３と、スペース１３に隣接する液晶表示パネル１の端部とを露出する貫通穴１２が設けられている。意匠筐体１４の内側表面には、貫通穴１２を貫通してスペース１３内において液晶表示パネル１の端部と接する位置決め突起１５が設けられている。【選択図】図３
2008281824.tif 000002
【特許請求の範囲】
【請求項１】
表示パネルと、
前記表示パネルを収納するとともに、当該収納した表示パネルの端部に隣接するスペースが設けられたフレームと、
前記フレームを覆う筐体とを備え、
前記フレームの表面には、
前記スペースと、前記スペースに隣接する前記表示パネルの前記端部とを露出する貫通穴が設けられ、
前記筐体の内側表面には、
前記貫通穴を貫通して前記スペース内において前記表示パネルの前記端部と接する突起が設けられた、
表示装置。
【請求項２】
前記フレームには、
前記スペースを隔てて前記表示パネルの前記端部に対向し、前記筐体の前記突起を位置規制する規制体が設けられた、
請求項１に記載の表示装置。
【請求項３】
前記規制体は、前記フレームに形成された突起部を含む、
請求項２に記載の表示装置、
【請求項４】
前記突起部は、
前記筐体の前記突起の側面を弾性的に押圧する、
請求項３に記載の表示装置。
【請求項５】
前記規制体は、
前記筐体の前記突起と対向して前記フレームの前記突起部に配置され、前記筐体の前記突起の側面を弾性的に押圧する弾性部材をさらに含む、
請求項３に記載の表示装置。
【請求項６】
前記フレームは、
前記表示パネルに光を照射するバックライトを収納する第１のフレームと、
前記第１のフレームに収納された前記バックライト上に前記表示パネルを重ねて収納する第２のフレームとを備え、
前記規制体は、前記第１のフレームまたは前記第２のフレームのいずれか一方に設けられた、
請求項２乃至請求項５のいずれかに記載の表示装置。
【発明の詳細な説明】
【技術分野】
【０００１】
本発明は、液晶表示パネル等の表示パネルを有する表示装置に関するものである。
【背景技術】
【０００２】
液晶表示装置（ＬＣＤ：Liquid Crystal Display）は、バックライトと、バックライトからの光の透過率を制御して画像を表示する液晶表示パネルとを備える受光型の表示装置である。
【０００３】
液晶表示パネルは、配線および電極が形成されたガラス基板と、ガラス基板に対向する対向基板と、それら基板間に挟持される液晶と備える。そして、ガラス基板、および、対向基板それぞれには、偏光板が貼り付けられる。液晶表示パネルの表示領域は、多数の画素から構成され、画像に応じた信号が各画素に印加されると、各画素において光の透過率が制御される。この場合に、液晶表示パネルの背面に配置されたバックライトにより光が照射されると、外部に画像が視認可能になる。
【０００４】
このような液晶表示装置は、軽量性、薄型性などの利点により、各種用途に広く使用されており、例えば、パソコン用のディスプレイや、車載用表示装置、産業用途に使用される装置類などの表示装置として用いられている。
【０００５】
近年、意匠性を兼ねた意匠筐体を備える液晶表示装置が提案されている。このような液晶表示装置では、液晶表示パネルと意匠筐体とのズレが少なくなるように精度良く位置決めする必要がある。特許文献１には、意匠筐体に設けた位置決めピンを、バックライトを収納するフレームに設けた穴に嵌合させて、液晶表示パネルの位置決めをする液晶表示装置が記載されている。
【０００６】
【特許文献１】特開２００３−１９５７８１号公報
【発明の開示】
【発明が解決しようとする課題】
【０００７】
しかしながら、従来の液晶表示装置や特許文献１に記載の液晶表示装置では、意匠筐体と液晶表示パネルとを直接位置決めするものではなく、フレームを介在させて意匠筐体と液晶表示パネルとを位置決めしている。そのため、意匠筐体と液晶表示パネルとを精度良く位置決めすることができないという問題点があった。そして、場合によっては、意匠筐体が液晶表示パネルの表示領域の一部を遮ったり、フレームが意匠筐体の開口部から外部に露出するという問題があった。
【０００８】
本発明は、上記のような問題点を解決するためになされたものであり、意匠筐体と液晶表示パネルとを直接位置決め可能にし、意匠筐体と液晶表示パネルとを精度良く位置決めすることを目的とする。
【課題を解決するための手段】
【０００９】
請求項１に係る表示装置は、表示パネルと、前記表示パネルを収納するとともに、当該収納した表示パネルの端部に隣接するスペースが設けられたフレームと、前記フレームを覆う筐体とを備える。前記フレームの表面には、前記スペースと、前記スペースに隣接する前記表示パネルの前記端部とを露出する貫通穴が設けられている。前記筐体の内側表面には、前記貫通穴を貫通して前記スペース内において前記表示パネルの前記端部と接する突起が設けられている。
【発明の効果】
【００１０】
本発明の表示装置によれば、筐体と、表示パネルとを直接位置決めすることができるため、筐体と表示パネルとを精度良く位置決めすることができる。
【発明を実施するための最良の形態】
【００１１】
＜実施の形態１＞
本発明に係る表示装置は、以下、液晶表示装置であるものとして説明する。まず、本実施の形態に係る液晶表示装置について説明する前に、従来の液晶表示装置の構成について簡単に説明する。
【００１２】
図２７は、従来の液晶表示装置の断面図である。従来の液晶表示装置は、液晶表示パネル１と、フレームと、バックライトと、意匠筐体１４とを備える。バックライトは、反射板４と、面状導光板５と、光学シート６とを備える。フレームは、バックライトを収納する第１のフレームと、第１のフレームに収納されたバックライト上に液晶表示パネル１を重ねて収納する第２のフレームとを備える。この図では、第１のフレームは、リアフレーム３と、ミドルフレーム７であり、第２のフレームは、フロントフレーム１１である。
【００１３】
上述のバックライトは、面状導光板５から液晶表示パネル１に向かって光を照射する。液晶表示パネル１は、面状導光板５からの光の透過率を制御して外部に画像を表示する。フロントフレーム１１には、液晶表示パネル１の画像を外部に表示する開口部が設けられている。
【００１４】
意匠筐体１４は、表側意匠枠体１４ａと裏側意匠枠体１４ｂとを備える。図２７に示すように、意匠筐体１４は、上述したフレームを覆う。この図では、意匠筐体１４は、リアフレーム３と、ミドルフレーム７と、フロントフレーム１１とを覆う。表側意匠枠体１４ａには、液晶表示パネル１の画像を外部に表示する開口部が、フロントフレーム１１の開口部と重なる箇所に設けられている。ただし、フロントフレーム１１が外部に露出しないようにするため、表側意匠枠体１４ａの開口部は、フロントフレーム１１の開口部よりも小さく設けられている。
【００１５】
このような従来の液晶表示装置では、意匠筐体１４と、液晶表示パネル１との間には、フロントフレーム１１およびミドルフレーム７が介在している。この構成では、フロントフレーム１１とミドルフレーム７それぞれの精度誤差とクリアランスが原因で、意匠筐体１４と液晶表示パネル１とを精度良く位置決めすることができないという問題があった。そして、場合によっては、意匠筐体１４が液晶表示パネル１の表示領域の一部を遮ったり、フロントフレーム１１が意匠筐体１４の開口部から外部に露出するという問題があった。
【００１６】
図２８は、別の従来の液晶表示装置の断面図である。この液晶表示装置では、意匠筐体１４の内側表面に設けられた位置決め突起１５を、ミドルフレーム７に設けられた凹部に嵌合することで、ミドルフレーム７と意匠筐体１４とを精度良く位置決めすることができる。しかし、この構成であっても、意匠筐体１４と、液晶表示パネル１との間には、ミドルフレーム７が介在している。そのため、ミドルフレーム７の精度誤差とクリアランスが原因で、上述の液晶表示装置と同じように、意匠筐体１４と液晶表示パネル１とを精度良く位置決めすることができないという問題があった。
【００１７】
このような問題を解決する本実施の形態に係る液晶表示装置について、以下説明する。図１は、本実施の形態に係る液晶表示装置の概略構成を、意匠筐体１４を除いて示す分解斜視図である。図２は、意匠筐体１４を組み込む前の断面図であり、図３は、意匠筐体１４を組み込んだ後の断面図である。これらの図に示すように、本実施の形態に係る液晶表示装置は、表示パネルである液晶表示パネル１と、フレームと、バックライト１０と、意匠筐体１４とを備える。
【００１８】
図１に示すように、フレームは、液晶表示パネル１に光を照射するバックライト１０を収納する第１のフレームと、第１のフレームに収納されたバックライト１０上に液晶表示パネル１を重ねて収納する第２のフレームとを備える。本実施の形態では、第１のフレームは、リアフレーム３と、ミドルフレーム７であり、第２のフレームは、フロントフレーム１１である。
【００１９】
本実施の形態に係る液晶表示装置の表示素子である液晶表示パネル１は、バックライト１０からの光の透過率を制御して外部に画像を表示する。この液晶表示パネル１は、上側基板１ａと、下側基板１ｂと、偏光板１ｃ，１ｄとを備える。上側基板１ａおよび下側基板１ｂのいずれか一方はＴＦＴアレイ基板であり、他方は対向基板である。これら上側基板１ａ上または下側基板１ｂ上には、着色層と、遮光層と、スイッチング素子となる薄膜トランジスタ（ＴＦＴ：Thin Film Transistor）と、画素電極等の電極および配線が形成される。
【００２０】
この上側基板１ａと下側基板１ｂとの間には、これら基板の間隔を等間隔に保持するスペーサと、これら基板を貼り合わせるシール材と、液晶と、液晶を注入した後に封止する封止材と、液晶に初期配向を持たせる配向膜が設けられる。そして、上側基板１ａの外側表面には偏光板１ｃが設けられ、下側基板１ｂの外側表面には偏光板１ｄが設けられる。偏光板１ｃ，１ｄは、バックライト１０からの光に対して特定の偏光成分の光のみを透過させる機能を有する。
【００２１】
バックライト１０は、図１に示すように、反射板４と、面状導光板５と、光学シート６と、光源ユニット９とを備える。
【００２２】
面状導光板５は、入射面５ａが光源ユニット９の光源２と向き合うように配置される。面状導光板５は、入射面５ａと略直交するように出射面５ｂが設けられる。出射面５ｂと対向する反出射面５ｃには、図２に示すように、光の伝搬方向を乱すための印刷ドットパターン５ｄが形成される。この面状導光板５は、透明体であり、例えば、アクリルやポリカーボネイトやガラスで構成される。
【００２３】
本実施の形態では、反出射面５ｃに印刷ドットパターン５ｄを設ける。しかし、これに限ったものではなく、印刷ドットパターン５ｄの代わりに出射面５ｂまたは反出射面５ｃを粗面としてもよく、あるいは、微小な球面やプリズムなど、光の伝搬方向を変化させる凹凸を設けたものであってもよい。
【００２４】
光学シート６は、面状導光板５の出射面５ｂに近接して設けられる。この光学シート６には、例えば、拡散シート、プリズムシート、偏光反射シート、または、それらの複数の組み合わせが該当する。本実施の形態では、光学シート６は、拡散シートであるものとして説明する。なお、この光学シート６を設けなくても、本実施の形態の効果に影響を与えるものではない。
【００２５】
反射板４は、面状導光板５の入射面５ａおよび出射面５ｂを除く面に近接して設けられる。本実施の形態では、反射板４は、反出射面５ｃに近接して設けたものとし、その材質には、反射率が９０％以上の拡散反射材を用いる。しかし、反射板４を設ける箇所はこれに限ったものではない。また、反射板４の材質もこれに限ったものではなく、正反射させるもの、例えば、銀蒸着シートを用いてもよい。
【００２６】
光源ユニット９は、図１に示すように、光源２と、光源２を覆うリフレクタ８とを備える。光源２は、図示しない電源から電力が供給され、その電力により発光する。本実施の形態では、光源２には、ランプを用いるが、これに限ったものではなく、点光源、例えば、ＬＥＤを並べたものであってもよい。
【００２７】
光源ユニット９のリフレクタ８は、光源２からの光を反射し、面状導光板５の入射面５ａに入光させる機能を有する。本実施の形態では、リフレクタ８は、反射率が９０％以上の拡散反射材を金属板と貼り合せたものを用いる。このリフレクタ８は、これに限ったものではなく、正反射させるもの、例えば、銀蒸着シートを貼り付けたものや、偏光反射させるものを貼り付けたもの、あるいは、塗装や鏡面加工した材料であってもよい。また、反射板４を延長させて、光源２を覆うように折り曲げることにより、反射板４の一部をリフレクタ８として用いる構成であってもよい。
【００２８】
本実施の形態に係るフレームは、上述したように、液晶表示パネル１に光を照射するバックライト１０を収納するリアフレーム３、ミドルフレーム７と、これらフレームに収納されたバックライト１０上に液晶表示パネル１を重ねて収納するフロントフレーム１１とを備える。このフレームは、図２に示すように、液晶表示パネル１を収納するとともに、その収納した液晶表示パネル１の端部に隣接するスペース１３が設けられている。
【００２９】
フレームの表面には、スペース１３と、スペース１３に隣接する液晶表示パネル１の端部とを露出する貫通穴１２が設けられている。本実施の形態では、図１、および、図２に示すように、上述したフレームのフロントフレーム１１の表面に、貫通穴１２が設けられている。
【００３０】
図４、図５、図６は、本実施の形態の一例を示す部分正面図である。フロントフレーム１１表面の貫通穴１２は、例えば、図４、および、図５に示すように、液晶表示パネル１の一のコーナー部を露出するように設けてもよいし、図６に示すように、液晶表示パネル１の一の側辺を露出するように設けてもよい。なお、図４、図５、図６に示す破線は、意匠筐体１４で覆った場合の意匠筐体１４の開口部を示している。
【００３１】
次に、図３を用いて、本実施の形態に係る意匠筐体１４を説明する。本実施の形態では、図３に示すように、意匠筐体１４は、表側意匠枠体１４ａと、裏側意匠枠体１４ｂとを備え、筐体である意匠筐体１４は、上述したフレームを覆う。本実施の形態では、意匠筐体１４は、リアフレーム３と、ミドルフレーム７と、フロントフレーム１１とを覆う。
【００３２】
意匠筐体１４の内側表面には、貫通穴１２を貫通してスペース１３内において液晶表示パネル１の端部と接する突起である位置決め突起１５が設けられている。本実施の形態では、図３に示すように、位置決め突起１５は、表側意匠枠体１４ａ側に設けられている。液晶表示パネル１の端部と、位置決め突起１５との接し方は、図３では、液晶表示パネル１の上側基板１ａの端部と下側基板１ｂの端部の両方において接している。しかし、これに限ったものではなく、図７に示すように、上側基板１ａの端部のみにおいて接するようにしてもよく、図８に示すように、下側基板１ｂの端部のみにおいて接するようにしてもよい。
【００３３】
このように構成される本実施の形態に係る液晶表示装置によれば、意匠筐体１４の位置決め突起１５は、液晶表示パネル１の端部と直接的に接する。これにより、意匠筐体１４と液晶表示パネル１とを直接位置決めすることができるため、意匠筐体１４と液晶表示パネル１とを精度良く位置決めすることができる。
【００３４】
なお、本実施の形態では、本発明に係る表示装置は、液晶表示装置であるものとして説明した。しかし、これに限ったものでなく、表示パネルを備える表示装置であれば、他の表示装置であってもよい。また、本実施の形態では、ミドルフレーム７を備える液晶表示装置について説明したが、ミドルフレーム７を省いても、上述の効果を得ることができる。
【００３５】
＜実施の形態２＞
図９は、本実施の形態に係る液晶表示装置において意匠筐体１４を組み込む前の断面図であり、図１０は、本実施の形態に係る液晶表示装置において意匠筐体１４を組み込んだ後の断面図である。以下、本実施の形態に係る液晶表示装置の構成のうち、実施の形態１と同一の構成については、同一の符号を付すものとし、新たに説明しない構成については、実施の形態１と同じであるものとする。なお、本実施の形態では、実施の形態１と異なり、ミドルフレーム７を省くことは考慮しないものとする。
【００３６】
本実施の形態に係る液晶表示装置のフレームは、実施の形態１と同様、液晶表示パネル１に光を照射するバックライト１０を収納するリアフレーム３、ミドルフレーム７と、これらフレームに収納されたバックライト１０上に液晶表示パネル１を重ねて収納するフロントフレーム１１とを備える。本実施の形態では、フレームのミドルフレーム７には、スペース１３を隔てて液晶表示パネル１の端部に対向し、意匠筐体１４の位置決め突起１５を位置規制する規制体が設けられている。
【００３７】
本実施の形態では、規制体は、図９に示すように、ミドルフレーム７の面１６ａからフロントフレーム１１側に略垂直に突出する、ミドルフレーム７に形成された突起部１６である。図９の構成に意匠筐体１４を組み込むと、図１０に示すように、意匠筐体１４の位置決め突起１５と、ミドルフレーム７の突起部１６は互いに当接する。そして、意匠筐体１４の位置決め突起１５は、貫通穴１２を貫通してスペース１３内において液晶表示パネル１の端部と接する。
【００３８】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００３９】
また、本実施の形態に係る液晶表示装置は、意匠筐体１４の位置決め突起１５を位置規制する突起部１６が、ミドルフレーム７に設けられている。そのため、意匠筐体１４に外部から衝撃などの付加が加わっても、位置決め突起１５が液晶表示パネル１の端部から離れることを防止することができる。このように、本実施の形態に係る液晶表示装置は、意匠筐体１４に外部から衝撃が加わっても、意匠筐体１４と、液晶表示パネル１との間の位置ズレを防ぐことができる。
【００４０】
＜実施の形態３＞
図１１は、本実施の形態に係る液晶表示装置において意匠筐体１４を組み込む前の断面図であり、図１２は、本実施の形態に係る液晶表示装置において意匠筐体１４を組み込んだ後の断面図である。以下、本実施の形態に係る液晶表示装置の構成のうち、実施の形態２と同一の構成については、同一の符号を付すものとし、新たに説明しない構成については、実施の形態２と同じであるものとする。なお、本実施の形態では、実施の形態２と同様、ミドルフレーム７を省くことは考慮しないものとする。
【００４１】
本実施の形態では、規制体は、図１１に示すように、ミドルフレーム７の面１６ａからフロントフレーム１１側に略垂直に突出する、ミドルフレーム７に形成された突起部１６である。突起部１６は、舌片状で先端に凸形状、例えば、半球状が設けられている。
【００４２】
図１１の構成に意匠筐体１４を組み込むと、図１２に示すように、突起部１６は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００４３】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００４４】
また、本実施の形態に係る液晶表示装置は、意匠筐体１４の位置決め突起１５の側面を弾性的に押圧する突起部１６が、ミドルフレーム７に設けられている。そのため、意匠筐体１４に外部から衝撃が加わっても、意匠筐体１４と、液晶表示パネル１との間の位置ズレを、実施の形態２よりも防ぐことができる。
【００４５】
＜実施の形態４＞
図１３は、本実施の形態に係る液晶表示装置において意匠筐体１４を組み込む前の断面図であり、図１４は、本実施の形態に係る液晶表示装置において意匠筐体１４を組み込んだ後の断面図である。以下、本実施の形態に係る液晶表示装置の構成のうち、実施の形態２と同一の構成については、同一の符号を付すものとし、新たに説明しない構成については、実施の形態２と同じであるものとする。なお、本実施の形態では、実施の形態２と同様、ミドルフレーム７を省くことは考慮しないものとする。
【００４６】
規制体は、図１３に示すように、ミドルフレーム７の面１６ａからフロントフレーム１１側に略垂直に突出する、ミドルフレーム７に形成された突起部１６である。本実施の形態では、規制体は、意匠筐体１４の位置決め突起１５と対向してミドルフレーム７の突起部１６に配置され、意匠筐体１４の位置決め突起１５の側面を弾性的に押圧する弾性部材であるクッション材１７をさらに含む。
【００４７】
図１３の構成に意匠筐体１４を組み込むと、図１４に示すように、クッション材１７は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００４８】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００４９】
また、本実施の形態に係る液晶表示装置は、意匠筐体１４の位置決め突起１５に対向してミドルフレーム７の突起部１６に配置されたクッション材１７が、位置決め突起１５の側面を弾性的に押圧する。そのため、意匠筐体１４に外部から衝撃が加わっても、意匠筐体１４と、液晶表示パネル１との間の位置ズレを、実施の形態２よりも防ぐことができる。
【００５０】
＜実施の形態５＞
図１５は、本実施の形態に係る液晶表示装置において意匠筐体１４を組み込む前の断面図であり、図１６は、本実施の形態に係る液晶表示装置において意匠筐体１４を組み込んだ後の断面図である。以下、本実施の形態に係る液晶表示装置の構成のうち、実施の形態１と同一の構成については、同一の符号を付すものとし、新たに説明しない構成については、実施の形態１と同じであるものとする。
【００５１】
本実施の形態に係る液晶表示装置のフレームは、実施の形態１と同様、液晶表示パネル１に光を照射するバックライト１０を収納するリアフレーム３、ミドルフレーム７と、これらフレームに収納されたバックライト１０上に液晶表示パネル１を重ねて収納するフロントフレーム１１とを備える。本実施の形態では、フレームのリアフレーム３には、スペース１３を隔てて液晶表示パネル１の端部に対向し、意匠筐体１４の位置決め突起１５を位置規制する規制体が設けられている。
【００５２】
本実施の形態では、規制体は、図１５に示すように、リアフレーム３の面１８ａからフロントフレーム１１側に略垂直に突出する、リアフレーム３に形成された突起部１８である。図１５の構成に意匠筐体１４を組み込むと、図１６に示すように、意匠筐体１４の位置決め突起１５と、リアフレーム３の突起部１８は互いに当接する。そして、意匠筐体１４の位置決め突起１５は、貫通穴１２を貫通してスペース１３内において液晶表示パネル１の端部と接する。
【００５３】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００５４】
また、本実施の形態に係る液晶表示装置は、意匠筐体１４の位置決め突起１５を位置規制する突起部１８が、リアフレーム３に設けられている。そのため、意匠筐体１４に外部から衝撃などの付加が加わっても、位置決め突起１５が液晶表示パネル１の端部から離れることを防止することができる。このように、本実施の形態に係る液晶表示装置は、意匠筐体１４に外部から衝撃が加わっても、意匠筐体１４と、液晶表示パネル１との間の位置ズレを防ぐことができる。
【００５５】
なお、本実施の形態では、ミドルフレーム７を備える液晶表示装置について説明したが、ミドルフレーム７を省いても、上述の効果を得ることができる。
【００５６】
＜実施の形態６＞
図１７は、本実施の形態に係る液晶表示装置において意匠筐体１４を組み込む前の断面図であり、図１８は、本実施の形態に係る液晶表示装置において意匠筐体１４を組み込んだ後の断面図である。以下、本実施の形態に係る液晶表示装置の構成のうち、実施の形態５と同一の構成については、同一の符号を付すものとし、新たに説明しない構成については、実施の形態５と同じであるものとする。
【００５７】
本実施の形態では、規制体は、図１７に示すように、リアフレーム３の面１８ａからフロントフレーム１１側に略垂直に突出する、リアフレーム３に形成された突起部１８である。突起部１８は、舌片状で先端に凸形状、例えば、半球状が設けられている。
【００５８】
図１７の構成に意匠筐体１４を組み込むと、図１８に示すように、突起部１８は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００５９】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００６０】
また、本実施の形態に係る液晶表示装置は、意匠筐体１４の位置決め突起１５の側面を弾性的に押圧する突起部１８が、リアフレーム３に設けられている。そのため、意匠筐体１４に外部から衝撃が加わっても、意匠筐体１４と、液晶表示パネル１との間の位置ズレを、実施の形態５よりも防ぐことができる。
【００６１】
なお、本実施の形態では、ミドルフレーム７を備える液晶表示装置について説明したが、ミドルフレーム７を省いても、上述の効果を得ることができる。
【００６２】
＜実施の形態７＞
図１９は、本実施の形態に係る液晶表示装置において意匠筐体１４を組み込む前の断面図であり、図２０は、本実施の形態に係る液晶表示装置において意匠筐体１４を組み込んだ後の断面図である。以下、本実施の形態に係る液晶表示装置の構成のうち、実施の形態５と同一の構成については、同一の符号を付すものとし、新たに説明しない構成については、実施の形態５と同じであるものとする。
【００６３】
規制体は、図１９に示すように、リアフレーム３の面１８ａからフロントフレーム１１側に略垂直に突出する、リアフレーム３に形成された突起部１８である。本実施の形態では、規制体は、意匠筐体１４の位置決め突起１５と対向してリアフレーム３の突起部１８に配置され、意匠筐体１４の位置決め突起１５の側面を弾性的に押圧する弾性部材であるクッション材１９をさらに含む。
【００６４】
図１９の構成に意匠筐体１４を組み込むと、図２０に示すように、クッション材１９は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００６５】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００６６】
また、本実施の形態に係る液晶表示装置は、意匠筐体１４の位置決め突起１５と対向してリアフレーム３の突起部１８に配置されたクッション材１９が、位置決め突起１５の側面を弾性的に押圧する。そのため、意匠筐体１４に外部から衝撃が加わっても、意匠筐体１４と、液晶表示パネル１との間の位置ズレを、実施の形態５よりも防ぐことができる。
【００６７】
なお、本実施の形態では、ミドルフレーム７を備える液晶表示装置について説明したが、ミドルフレーム７を省いても、上述の効果を得ることができる。
【００６８】
＜実施の形態８＞
図２１は、本実施の形態に係る液晶表示装置において意匠筐体１４を組み込む前の断面図であり、図２２は、本実施の形態に係る液晶表示装置において意匠筐体１４を組み込んだ後の断面図である。以下、本実施の形態に係る液晶表示装置の構成のうち、実施の形態１と同一の構成については、同一の符号を付すものとし、新たに説明しない構成については、実施の形態１と同じであるものとする。
【００６９】
本実施の形態に係る液晶表示装置のフレームは、実施の形態１と同様、液晶表示パネル１に光を照射するバックライト１０を収納するリアフレーム３、ミドルフレーム７と、これらフレームに収納されたバックライト１０上に液晶表示パネル１を重ねて収納するフロントフレーム１１とを備える。本実施の形態では、フレームのフロントフレーム１１には、スペース１３を隔てて液晶表示パネル１の端部に対向し、意匠筐体１４の位置決め突起１５を位置規制する規制体が設けられている。
【００７０】
本実施の形態では、規制体は、図２１に示すように、フロントフレーム１１の面２０ａから一部を折り曲げてリアフレーム３側に略垂直に突出する、フロントフレーム１１に形成された突起部２０である。図２１の構成に意匠筐体１４を組み込むと、図２２に示すように、意匠筐体１４の位置決め突起１５と、リアフレーム３の突起部２０は互いに当接する。そして、意匠筐体１４の位置決め突起１５は、貫通穴１２を貫通してスペース１３内において液晶表示パネル１の端部と接する。
【００７１】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００７２】
また、本実施の形態に係る液晶表示装置は、意匠筐体１４の位置決め突起１５を位置規制する突起部２０が、フロントフレーム１１に設けられている。そのため、意匠筐体１４に外部から衝撃などの付加が加わっても、位置決め突起１５が液晶表示パネル１の端部から離れることを防止することができる。このように、本実施の形態に係る液晶表示装置は、意匠筐体１４に外部から衝撃が加わっても、意匠筐体１４と、液晶表示パネル１との間の位置ズレを防ぐことができる。
【００７３】
なお、本実施の形態では、ミドルフレーム７を備える液晶表示装置について説明したが、ミドルフレーム７を省いても、上述の効果を得ることができる。
【００７４】
＜実施の形態９＞
図２３は、本実施の形態に係る液晶表示装置において意匠筐体１４を組み込む前の断面図であり、図２４は、本実施の形態に係る液晶表示装置において意匠筐体１４を組み込んだ後の断面図である。以下、本実施の形態に係る液晶表示装置の構成のうち、実施の形態８と同一の構成については、同一の符号を付すものとし、新たに説明しない構成については、実施の形態８と同じであるものとする。
【００７５】
本実施の形態では、規制体は、図２３に示すように、フロントフレーム１１の面２０ａから一部を折り曲げてリアフレーム３側に略垂直に突出する、フロントフレーム１１に形成された突起部２０である。突起部２０は、舌片状で先端に凸形状、例えば、半球状が設けられている。
【００７６】
図２３の構成に意匠筐体１４を組み込むと、図２４に示すように、突起部２０は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００７７】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００７８】
また、本実施の形態に係る液晶表示装置は、意匠筐体１４の位置決め突起１５の側面を弾性的に押圧する突起部２０が、フロントフレーム１１に設けられている。そのため、意匠筐体１４に外部から衝撃が加わっても、意匠筐体１４と、液晶表示パネル１との間の位置ズレを、実施の形態８よりも防ぐことができる。
【００７９】
なお、本実施の形態では、ミドルフレーム７を備える液晶表示装置について説明したが、ミドルフレーム７を省いても、上述の効果を得ることができる。
【００８０】
＜実施の形態１０＞
図２５は、本実施の形態に係る液晶表示装置において意匠筐体１４を組み込む前の断面図であり、図２６は、本実施の形態に係る液晶表示装置において意匠筐体１４を組み込んだ後の断面図である。以下、本実施の形態に係る液晶表示装置の構成のうち、実施の形態８と同一の構成については、同一の符号を付すものとし、新たに説明しない構成については、実施の形態８と同じであるものとする。
【００８１】
規制体は、図２５に示すように、フロントフレーム１１の面２０ａから一部を折り曲げてリアフレーム３側に略垂直に突出する、フロントフレーム１１に形成された突起部２０である。本実施の形態では、規制体は、意匠筐体１４の位置決め突起１５と対向してフロントフレーム１１の突起部２０に配置され、意匠筐体１４の位置決め突起１５の側面を弾性的に押圧する弾性部材であるクッション材２１をさらに含む。
【００８２】
図２５の構成に意匠筐体１４を組み込むと、図２６に示すように、クッション材２１は、意匠筐体１４の位置決め突起１５の側面を弾性的に押圧する。そして、意匠筐体１４の位置決め突起１５は、貫通穴１２を貫通してスペース１３内において液晶表示パネル１の端部と接する。
【００８３】
このように構成される本実施の形態に係る液晶表示装置によれば、実施の形態１と同様、意匠筐体１４と液晶表示パネル１とを直接位置決めすることができるため、意匠筐体１４と液晶表示パネル１とを精度良く位置決めすることができる。
【００８４】
また、本実施の形態に係る液晶表示装置は、意匠筐体１４の位置決め突起１５と対向してフロントフレーム１１の突起部２０に配置されたクッション材２１が、位置決め突起１５の側面を弾性的に押圧する。そのため、意匠筐体１４に外部から衝撃が加わっても、意匠筐体１４と、液晶表示パネル１との間の位置ズレを、実施の形態８よりも防ぐことができる。
【００８５】
なお、本実施の形態では、ミドルフレーム７を備える液晶表示装置について説明したが、ミドルフレーム７を省いても、上述の効果を得ることができる。
【図面の簡単な説明】
【００８６】
【図１】実施の形態１に係る液晶表示装置の構成を示す分解斜視図である。
【図２】実施の形態１に係る液晶表示装置の構成を示す断面図である。
【図３】実施の形態１に係る液晶表示装置の構成を示す断面図である。
【図４】実施の形態１に係る液晶表示装置の構成を示す正面図である。
【図５】実施の形態１に係る液晶表示装置の構成を示す正面図である。
【図６】実施の形態１に係る液晶表示装置の構成を示す正面図である。
【図７】実施の形態１に係る液晶表示装置の構成を示す断面図である。
【図８】実施の形態１に係る液晶表示装置の構成を示す断面図である。
【図９】実施の形態２に係る液晶表示装置の構成を示す断面図である。
【図１０】実施の形態２に係る液晶表示装置の構成を示す断面図である。
【図１１】実施の形態３に係る液晶表示装置の構成を示す断面図である。
【図１２】実施の形態３に係る液晶表示装置の構成を示す断面図である。
【図１３】実施の形態４に係る液晶表示装置の構成を示す断面図である。
【図１４】実施の形態４に係る液晶表示装置の構成を示す断面図である。
【図１５】実施の形態５に係る液晶表示装置の構成を示す断面図である。
【図１６】実施の形態５に係る液晶表示装置の構成を示す断面図である。
【図１７】実施の形態６に係る液晶表示装置の構成を示す断面図である。
【図１８】実施の形態６に係る液晶表示装置の構成を示す断面図である。
【図１９】実施の形態７に係る液晶表示装置の構成を示す断面図である。
【図２０】実施の形態７に係る液晶表示装置の構成を示す断面図である。
【図２１】実施の形態８に係る液晶表示装置の構成を示す断面図である。
【図２２】実施の形態８に係る液晶表示装置の構成を示す断面図である。
【図２３】実施の形態９に係る液晶表示装置の構成を示す断面図である。
【図２４】実施の形態９に係る液晶表示装置の構成を示す断面図である。
【図２５】実施の形態１０に係る液晶表示装置の構成を示す断面図である。
【図２６】実施の形態１０に係る液晶表示装置の構成を示す断面図である。
【図２７】従来の液晶表示装置の構成を示す断面図である。
【図２８】従来の液晶表示装置の構成を示す断面図である。
【符号の説明】
【００８７】
１  液晶表示パネル、１ａ  上側基板、１ｂ  下側基板、１ｃ，１ｄ  偏光板、２  光源、３  リアフレーム、４  反射板、５  面状導光板、５ａ  入射面、５ｂ  出射面、５ｃ  反出射面、５ｄ  印刷ドットパターン、６  光学シート、７  ミドルフレーム、８  リフレクタ、９  光源ユニット、１０  バックライト、１１  フロントフレーム、１２  貫通穴、１３  スペース、１４  意匠筐体、１４ａ  表側意匠枠体、１４ｂ  裏側意匠枠体、１５  位置決め突起、１６，１８，２０  突起部、１６ａ，１８ａ，２０ａ  面、１７，１９，２１  クッション材。
【図１】
2008281824.tif 000003
【図２】
2008281824.tif 000004
【図３】
2008281824.tif 000005
【図４】
2008281824.tif 000006
【図５】
2008281824.tif 000007
【図６】
2008281824.tif 000008
【図７】
2008281824.tif 000009
【図８】
2008281824.tif 000010
【図９】
2008281824.tif 000011
【図１０】
2008281824.tif 000012
【図１１】
2008281824.tif 000013
【図１２】
2008281824.tif 000014
【図１３】
2008281824.tif 000015
【図１４】
2008281824.tif 000016
【図１５】
2008281824.tif 000017
【図１６】
2008281824.tif 000018
【図１７】
2008281824.tif 000019
【図１８】
2008281824.tif 000020
【図１９】
2008281824.tif 000021
【図２０】
2008281824.tif 000022
【図２１】
2008281824.tif 000023
【図２２】
2008281824.tif 000024
【図２３】
2008281824.tif 000025
【図２４】
2008281824.tif 000026
【図２５】
2008281824.tif 000027
【図２６】
2008281824.tif 000028
【図２７】
2008281824.tif 000029
【図２８】
2008281824.tif 000030